(57)【要約】【課題】雨天時に、車（チャイルドシート）に小さな子を乗降させる際や、介助が必要な方の乗降をサポートする際、また荷物の出し入れの際などに、両手を使えるよう、傘を車のドア上部に素早く固定できるようにする。【解決手段】自動車のボディに吸着される磁石（２）と、前記磁石が取り付けられた基体（３）と、前記基体に一端部が固定されたひも部材（４）と、前記ひも部材の他端部が取り付けられた把持部が円弧状のクリップ部材（５）とを具備することを特徴とする、自動車用傘保持具（１）である。この自動車用傘保持具は、傘への着脱が容易であり、全体のサイズも小さいことから、傘に着けたままにしておけることができる。【選択図】  図１
2017189534.tif 000002
【特許請求の範囲】
【請求項１】
自動車のボディに吸着される磁石と、前記磁石が取り付けられた基体と、前記基体に一端部が固定された連結部材と、前記連結部材の他端部が取り付けられた把持部が円弧状のクリップ部材とを具備することを特徴とする、自動車用傘保持具。
【請求項２】
前記連結部材の一端部が基体に接着されると共に、その上部に装飾部材が接着されていることを特徴とする、請求項１記載の自動車用傘保持具である。
【請求項３】
前記連結部材には長さ調節部が設けられていることを特徴とする請求項１または２に記載の自動車用傘保持具。
【請求項４】
前記クリップが、傘の中棒または露先を挟むことで傘に取り付けられることを特徴とする請求項１〜３のいずれかに記載の自動車用傘保持具。
【請求項５】
前記クリップが、傘の中棒または露先を挟むことができることで、車のドアの形状に対応が可能であることを特徴とする請求項１〜４のいずれかに記載の自動車用傘保持具。
【請求項６】
前記磁石、連結、クリップからなる自動車用傘保持具は、傘への着脱が容易であり、全体のサイズも小さいことから、傘に着けたままにしておけることを特徴とする請求項１〜５のいずれかに記載の自動車用傘保持具。
【発明の詳細な説明】
【技術分野】
【０００１】
本発明は、傘を車に保持させ、乗降の際に用いる自動車用傘保持具に関する。
【背景技術】
【０００２】
磁石を用いて傘を車に保持させ、乗降の際に用いるものとしては、特開2004―201803の自動車用傘保持具がある。
【先行技術文献】
【特許文献】
【０００３】
【特許文献１】特開2004―201803号公報
【発明の概要】
【発明が解決しようとする課題】
【０００４】
クリップが傘の傘骨の先端を挟むことで傘に取り付けられ、磁石で車に吸着される部分と、開いたドアに傘を乗せる部分とによって傘を保持するものとなっていることから、取付態様が限定され、スライドドアなど様々な車種に対応できない。
【課題を解決するための手段】
【０００５】
本発明では、クリップの把持部を円弧状のものにすることによって、傘の露先または中棒も挟めるものとなっている。また、ひもは長さを調節できるものとなっている。
以上2点により、スライドドアなど様々な車種に対応できる取付態様が選択できる。また、傘のサイズや重さによっても取付態様が選択、調節できるものである。
【０００６】
第１の発明は、自動車のボディに吸着される磁石と、前記磁石が取り付けられた基体と、前記基体に一端部が固定された連結部材と、前記連結部材の他端部が取り付けられた把持部が円弧状のクリップ部材とを具備する自動車用傘保持具である。
第２の発明は、第１の発明において、前記連結部材の一端部が基体に接着されると共に、その上部に装飾部材が接着されている自動車用傘保持具である。
第３の発明は、第１または第２の発明において、前記連結部材の一端部が基体に接着されると共に、その上部に装飾部材が接着されている自動車用傘保持具である。
第４の発明は、第１〜第３のいずれかの発明において、前記連結部材の一端部が基体に接着されると共に、その上部に装飾部材が接着されている自動車用傘保持具である。
第５の発明は、第１〜第４のいずれかの発明において、前記連結部材の一端部が基体に接着されると共に、その上部に装飾部材が接着されている自動車用傘保持具である。
第６の発明は、第１〜第５のいずれかの発明において、前記磁石、連結、クリップからなる自動車用傘保持具は、傘への着脱が容易であり、全体のサイズも小さいことから、傘に着けたままにしておけることができる自動車用傘保持具。
【発明の効果】
【０００７】
発明の自動車用傘保持具は、スライドドアなど様々な車種に対応できる取付態様が選択できる。また、傘のサイズや重さによっても取付態様が選択、調節できるものである。
【図面の簡単な説明】
【０００８】
【図１】図１は本発明の自動車用傘保持具の全体図である。
【図２】図２は本発明の自動車用傘保持具を傘に取り付けた様子を横から見た図である。
【図３】図3は本発明の自動車用傘保持具により、傘を自動車に固定した図である。
【図４】図4は前記図3の様子を上から見た図である。
【図５】図5は本発明の自動車用傘保持具により、傘を自動車に固定した他の図である。
【図６】図6は前記図５の様子を上から見た図である。
【図７】図7は本発明の自動車用傘保持具１の種々の形状示す図である。
【発明を実施するための形態】
【０００９】
図１は本発明の自動車用傘保持具１の全体図である。
本発明の自動車用傘保持具は、自動車のボディに吸着される磁石２と、前記磁石が取り付けられた基体3と、前記基体３に一端部が固定されたひも部材４と、前記ひも部材４の他端部が取り付けられた把持部が円弧状のクリップ部材５とからなる。基体３には、装飾部材６が付けられている。また、ひも部材４には、長さ調節部７が設けられている。
なお、本実施例では、連結部材としてひも部材(ロープ等)を用いているが、くさり、あるいは屈曲可能な構造を持つ部材、屈曲可能な素材等の、いずれも使用可能である。
【００１０】
図２は本発明の自動車用傘保持具１を傘８に傘に取り付けた様子を横から見た図である。傘１の露先９、または、中棒１０につけた状態を示している。
【００１１】
図3は本発明の自動車用傘保持具１を傘の中棒１０に取り付け、自動車の後部スライドドアを開いた状態で、車の屋根部分１１に本発明の自動車用傘保持具１の磁石２を吸着させ、傘８をドア上部に固定した様子の図である。
【００１２】
図4は前記図3の様子を上から見た図である。
図5は本発明の自動車用傘保持具１を傘８の露先に取り付け、自動車の後部ドアを開いた状態で、車の屋根部分１１に本発明の自動車用傘保持具１の磁石２を吸着させ、傘８をドア上部に固定した様子を斜め後ろから見た図である。
図6は前記図５の様子を上から見た図である。
【００１３】
図7は本発明の自動車用傘保持具１の基体３上部に付ける種々の形状の装飾部材６と、クリップ上部に付ける種々の形状の装飾部材６を接着した場合を示した図である。（A）は男の子が好みそうなものである、図の上側がクリップ側、下側は磁石側である。（B）は、女の子が好みそうなものである、図の上側がクリップ側、下側は磁石側である。（C）は、どちらも好みそうなものである。図の上側がクリップ側、下側は磁石側である。
【産業上の利用可能性】
【００１４】
あらたな、部材製造産業の振興につながります。
【符号の説明】
【００１５】
１  自動車用傘保持具
２  磁石
３  基体
４  ひも部材
５  クリップ部材
６  装飾部材
７  調節部
８  傘
９  露先
１０  中棒
１１  車の屋根部分
【図１】
2017189534.tif 000003
【図２】
2017189534.tif 000004
【図３】
2017189534.tif 000005
【図４】
2017189534.tif 000006
【図５】
2017189534.tif 000007
【図６】
2017189534.tif 000008
【図７】
2017189534.tif 000009